(57)【要約】【課題】  ケーブル事業者にネットワークＩＤが一つしか与えられないため、自主放送サービスできるチャンネルに限りがある。チャンネルの切替え選択が面倒である。【解決手段】  送信側において、デジタル化された自主放送信号を多重化してＴＳ信号にし、それをＯＦＤＭ変調以外の方式で変調して一つのチャンネル信号を生成し、同様にして生成した二以上のチャンネル信号を混合して伝送路に送出し、受信側で受信したチャンネル信号から所望チャンネルの自主放送信号を選択し、選択された自主放送信号を復調してからＯＦＤＭ変調して地上デジタル放送対応のＴＶ受像機に入力し、ＴＶ受像機において前記ＯＦＤＭ信号を復調して自主放送をＴＶ受像機のディスプレーに表示し、チャンネルを選択切替えすることにより所望チャンネルの自主放送をＴＶ受像機のディスプレーに切替え表示可能とした。【選択図】  図１
2009171381.tif 000002
【特許請求の範囲】
【請求項１】
送信側において、自主放送信号をデジタル化し、多重化してトランスポートストリーム（ＴＳ）とし、ＴＳをＯＦＤＭ方式以外の方式で変調して一つのチャンネル信号を生成し、同様にして生成された二以上のチャンネル信号を混合して伝送路に送出し、
前記混合信号を受信側のセットトップボックス（ＳＴＢ）で受信し、受信したチャンネル信号から所望チャンネルの自主放送信号を選択し、選択された自主放送信号を復調してからＯＦＤＭ変調して地上デジタル放送対応のＴＶ受像機に入力し、
ＴＶ受像機において前記ＯＦＤＭ信号を復調して自主放送をＴＶ受像機のディスプレーに表示し、
前記チャンネルを選択切替えすることにより所望チャンネルの自主放送をＴＶ受像機のディスプレーに切替え表示可能としたことを特徴とする地上デジタル自主放送方式。
【請求項２】
請求項１記載の地上デジタル自主放送方式において、
送信側において、自主放送信号をデータ放送信号、契約情報信号（ＥＭＭ）等の他信号と多重化して伝送路に送出し、
ＳＴＢで受信した混合信号から所望チャンネルの自主放送信号を選択して復調し、
その復調信号に前記他信号を重畳し、その重畳信号をＯＦＤＭ変調して、ＴＶ受像機に入力することを特徴とする地上デジタル自主放送方式。
【請求項３】
請求項１記載の地上デジタル自主放送方式において、
送信側において、自主放送信号を多重化してＴＳにし、それとは別にデータ放送信号、契約情報信号（ＥＭＭ）等の他信号を多重化して専用ＴＳとし、両多重化信号を混合して伝送路に送出し、
ＳＴＢで受信した混合信号から所望チャンネルの自主放送信号を選択して復調し、これとは別にその混合信号から他信号を取り出し、
復調した前記自主放送信号と取り出した前記他信号を重畳し、その重畳信号をＯＦＤＭ変調してＴＶ受像機に入力することを特徴とする地上デジタル自主放送方式。
【請求項４】
請求項２又は請求項３記載の地上デジタル自主放送方式において、
ＳＴＢで受信した混合信号と、その混合信号から分岐してＯＦＤＭ変調したＯＦＤＭ信号とをＳＴＢにおいて混合してＴＶ受像機に入力し、
ＴＶ受像機において前記ＯＦＤＭ信号を復調して、ＴＶ受像機のディスプレーに表示することを特徴とする地上デジタル自主放送方式。
【請求項５】
請求項１乃至請求項４のいずれかに記載の地上デジタル自主放送方式において、
ＴＳにスクランブルをかけてから、ＯＦＤＭ以外の方式でキャリア変調する地上デジタル自主放送方式。
【請求項６】
請求項１乃至請求項５のいずれかに記載の地上デジタル自主放送方式において、
自主放送チャンネルをＴＶ用リモコンキーに割り当てておき、
リモコンキー操作によりＳＴＢで受信された混合信号から所望チャンネルを選択することにより加入者宅のＴＶ受像機のディスプレーに自動的にデータ放送画面が表示され、
その表示画面から希望するチャンネルをリモコンキー操作で選択するとデータ放送の双方向機能によりＴＶ受像機からＳＴＢに選択チャンネル情報が伝達され、
ＳＴＢにおいてそのチャンネルの自主放送が選択されてＴＶ受像機のディスプレーに表示されることを特徴とする地上デジタル自主放送方式。
【請求項７】
請求項１乃至請求項６のいずれかに記載の地上デジタル自主放送方式において、受信側において契約情報（ＥＭＭ）からチャンネル毎の視聴可否情報を取得し、視聴可能な場合のみＴＶ受像機で視聴可能とし、視聴不可の場合はＴＶ受像機のディスプレーに視聴不可の表示をすることを特徴とする地上デジタル自主放送方式。
【請求項８】
送信側において自主放送信号をデジタル化し、それを多重化してＴＳにし、そのＴＳをインターネットプロトコール方式の信号（ＩＰ信号）に変換（ＴＳ／ＩＰ）して一つのチャンネルのＩＰ信号を生成し、同様にして他のチャンネルのＩＰ信号を生成し、
前記二以上のＩＰ信号を切替え選択してＩＰ網に送り出し、
それらＩＰ信号を受信側のインターネット用セットトップボックス（ＩＰ−ＳＴＢ）で受信し、
ＩＰ−ＳＴＢにおいて、受信した多数のＩＰ信号から所望チャンネルのＩＰ信号を選択してＩＰ／ＴＳ変換し、
変換したＴＳをＯＦＤＭ変調して地上デジタル放送対応のＴＶ受像機に入力し、
ＴＶ受像機において前記ＯＦＤＭ信号を復調して自主放送をＴＶ受像機のディスプレーに表示し、
前記チャンネルを選択切替えすることにより所望チャンネルの自主放送をＴＶ受像機のディスプレーに切替え表示可能としたことを特徴とする地上デジタル自主放送方式。
【請求項９】
送信側と、受信側と、両者間を結ぶ伝送路を備え、受信側は前記伝送路に接続されるＳＴＢと、ＳＴＢに接続された地上デジタル放送対応のＴＶ受像機を備え、
送信側にはデジタル化された自主放送信号を圧縮するＭＰＥＧエンコーダと、その圧縮デジタル信号を、データ放送や視聴制御のための契約情報等と多重化してＴＳにする多重器と、ＴＳにスクランブルをかけるスクランブラと、スクランブル信号でキャリア変調するＯＦＤＭ方式以外の変調器とを備えた送信機器を一セットして、二セット以上の送信機器が備えられ、
送信側には、夫々のセットの送信機器により生成される二以上のチャンネル信号を混合する混合器をも備え、
前記ＳＴＢは伝送路から受信した混合信号から所望チャンネルの自主放送信号を復調する復調部と、復調信号とデータ放送信号等を多重化してＴＳに復元する多重器と、そのＴＳでＯＦＤＭ変調するＯＦＤＭ変調器と、変調後のＯＦＤＭ信号をＳＴＢへの前記入力信号と混合する混合器を備えたことを特徴とする地上デジタル自主放送装置。
【請求項１０】
請求項９記載の地上デジタル自主放送装置において、
送信側に、夫々のセットの送信機器とは別に、データ放送や視聴制御のための契約情報（ＥＭＭ）等を多重化して専用のトランスポートストリーム（専用ＴＳ）を生成する多重器と、専用ＴＳをＯＦＤＭ方式以外の方式で変調する変調器をも備え、
前記混合器は専用ＴＳの変調信号と、前記二以上のチャンネルのＴＳ変調信号とを混合可能であり、
受信側のＳＴＢには、受信した混合信号から所望チャンネルの自主放送信号を選択して復調するＴＳ復調部と、その混合信号の専用ＴＳからデータ放送やＥＭＭ信号等を復調する専用ＴＳ復調部と、ＴＳ復調部で復調された自主放送と、専用ＴＳ復調部で復調されたデータ放送信号等を多重化する多重器と、その多重信号で変調するＯＦＤＭ変調器と、ＯＦＤＭ変調信号を前記ＳＴＢへの入力信号と混合する混合器を備えたことを特徴とする地上デジタル自主放送装置。
【発明の詳細な説明】
【技術分野】
【０００１】
本発明は地上デジタル（ＯＦＤＭ）自主放送方式とその装置に関するものであり、デジタルＣＡＴＶ、ＩＰ放送、ホテル、学校、企業、競輪、競馬、競艇場等のテレビ共聴設備で利用できるものである。
【背景技術】
【０００２】
デジタルＣＡＴＶシステムを利用した現在の地上デジタル自主放送方式は図４のようになっている。図４ではデジタル化された映像ソース（自主放送信号）を送信側のヘッドエンドに設けたＭＰＥＧ２エンコーダで圧縮し、その圧縮信号とデータ放送信号を多重器でトランスポートストリーム（ＴＳ）にし、ＴＳにＢ−ＣＡＳスクランブラでスクランブルをかけ、そのスクランブル信号をＯＦＤＭ（Orthogonal Frequency Division Multiplexing：直交周波数分割多重）変調器で変調してＯＦＤＭ信号を生成し、それをＣＡＴＶ伝送路で受信側に伝送する。伝送されたＯＦＤＭ信号は受信側のＣＡＴＶ加入社宅のセットトップボックス（ＳＴＢ）で受信され、ＳＴＢ内のＯＦＤＭ受信部（ＯＦＤＭ−ＮＩＭ：Network Interface Module）で復調され、ＭＰＥＧデコーダでデコード（圧縮解除）されて、地上デジタル放送対応のテレビ受像機（ＴＶ受像機）の映像入出力端子（Ｄ端子）に送られてＴＶ受像機のディスプレーに映し出されている。
【０００３】
自主放送方式には、図５に示すようにＩＰ放送（ＩＰマルチキャスト網を使ったＴＶ向けの映像配信）用のＩＰ網を利用した伝送方式もある。これは映像ソースが送信側のヘッドエンドのＭＰＥＧ２エンコーダで圧縮され、その圧縮信号が電子番組ガイド（ＥＰＧ）等と多重器で多重化されてＴＳが生成され、そのＴＳがＴＳ／ＩＰ変換器でＩＰ信号に変換されて一つのチャンネルのＩＰ信号が生成され、同様にして生成された多数チャンネルのＩＰ信号がスイッチ（ＨＵＢ）で切り替え選択され、選択されたＩＰ信号がルータを介してＩＰ網に送り出される。そのＩＰ信号はルータを介して受信側のＩＰ加入者宅のＩＰセットトップボックス（ＩＰ−ＳＴＢ）で受信されてＴＳに変換され、そのＴＳがＭＰＥＧデコーダで圧縮解除（デコード）され、その解除信号をＴＶ受像機のＮＴＳＣ端子に送られてＴＶ受像機のディスプレーに映し出される方式である。
【発明の開示】
【発明が解決しようとする課題】
【０００４】
図４のＣＡＴＶシステム利用の地上デジタル自主放送システムでは次のような課題があった。
（１）ケーブル事業者にはネットワークＩＤ（一種類のＯＦＤＭ周波数）が一つしか与えられていないため、自主放送サービスする場合に、ＳＤＴＶ（標準精細度）放送では最大３チャンネル、ＨＤＴＶ（高精細度）放送では１チャンネルに限定される。
（２）ＣＡＴＶシステムで行うケーブル専門チャンネル（自主放送）の変調方式はＱＡＭ変調であるため、受信にはＳＴＢが必須である。また、ＯＦＤＭで自主放送を行った場合、現状のＳＴＢでは権利保護（コピー制御）のためのスクランブルをかけることはできるが自主放送の視聴制限はできない。
（３）自主放送をデジタルＣＡＴＶシステム（ＱＡＭ変調方式）でサービスした場合、自主放送受信のためにはＳＴＢでのネットワーク切替え操作が必要であり、チャンネル選択にＳＴＢ用とＴＶ用の２種類のリモコン操作が必要となり使い勝手が悪い。
（４）図４のように、ＴＶのＶ／Ｕ入力端子、ＢＳ／ＣＳ入力端子、ＴＶに内蔵されているＯＦＤＭ−ＮＩＭ、ＢＳ／ＣＳ  ＮＩＭ、ＭＰＥＧデコーダが使用されず無駄となっている。
【０００５】
図５のＩＰ網を使用した自主放送システムは現状のＩＰ−ＳＴＢを使用したシステムとなるため、リモコン操作の使い勝手が悪いという課題がある。
【課題を解決するための手段】
【０００６】
本発明はデジタルＣＡＴＶシステムやＩＰ放送網等の仕組みを利用して、一つのネットワークＩＤ（一種類のＯＦＤＭ周波数）で多数チャンネルの地上デジタル自主放送が可能となり、ＯＦＤＭ変調されたケーブル専門チャンネルの自主放送も可能であり、それら自主放送を地上デジタル放送対応のＴＶ受像機で視聴者がチャンネル選択して視聴可能としたものである。
【０００７】
本発明の地上デジタル自主放送方式は、送信側において、自主放送信号をデジタル化し、多重化してトランスポートストリーム（ＴＳ）とし、ＴＳをＯＦＤＭ方式以外の方式で変調して一つのチャンネル信号を生成し、同様にして生成された二以上のチャンネル信号を混合して伝送路に送出し、その混合信号を受信側のセットトップボックス（ＳＴＢ）で受信し、受信したチャンネル信号から所望チャンネルの自主放送信号を選択し、選択された自主放送信号を復調してからＯＦＤＭ変調して地上デジタル放送対応のＴＶ受像機に入力し、ＴＶ受像機において前記ＯＦＤＭ信号を復調して自主放送をＴＶ受像機のディスプレーに表示し、前記チャンネルを選択切替えすることにより所望チャンネルの自主放送をＴＶ受像機のディスプレーに切替え表示可能とした方式である。
【０００８】
前記地上デジタル自主放送方式では、送信側において、自主放送信号をデータ放送信号、契約情報信号（ＥＭＭ）等の他信号と多重化して伝送路に送出し、ＳＴＢで受信した混合信号から所望チャンネルの自主放送信号を選択して復調し、その復調信号に前記他信号を重畳し、その重畳信号をＯＦＤＭ変調してＴＶ受像機に入力し、ＴＶ受像機において前記ＯＦＤＭ信号を復調して、ＴＶ受像機のディスプレーに表示することもできる。また、送信側において、自主放送信号を多重化してＴＳにし、それとは別にデータ放送信号、契約情報信号（ＥＭＭ）等の他信号を多重化して専用ＴＳとし、両多重化信号を混合して伝送路に送出し、ＳＴＢで受信した混合信号から所望チャンネルの自主放送信号を選択して復調し、これとは別にその混合信号から他信号を取り出し、復調した前記自主放送信号と取り出した前記他信号を重畳し、その重畳信号をＯＦＤＭ変調してＴＶ受像機に入力することもできる。これら地上デジタル自主放送方式ではＳＴＢで受信した混合信号と、その混合信号から分岐してＯＦＤＭ変調したＯＦＤＭ信号とをＳＴＢにおいて混合してＴＶ受像機に入力することもできる。
【０００９】
前記いずれの地上デジタル自主放送方式でも、ＴＳにスクランブルをかけてから、ＯＦＤＭ以外の方式でキャリア変調することもできる。また、自主放送チャンネルをＴＶ用リモコンキーに割り当てておき、リモコンキー操作によりＳＴＢで受信された混合信号から所望チャンネルを選択することにより加入者宅のＴＶ受像機のディスプレーに自動的にデータ放送画面が表示され、そのデータ放送画面から希望する自主放送チャンネルをリモコンキー操作で選択するとデータ放送の双方向機能によりＴＶ受像機からＳＴＢに選択チャンネル情報が伝達され、ＳＴＢにおいてそのチャンネルの自主放送が選択されてＴＶ受像機のディスプレーに表示されるようにすることもできる。
【００１０】
前記地上デジタル自主放送方式において、ＳＴＢにおいて契約情報（ＥＭＭ）からチャンネル毎の視聴可否情報を取得し、視聴可能な場合のみＴＶ受像機で視聴可能とし、視聴不可の場合はＴＶ受像機のディスプレーに視聴不可の表示をすることもできる。
【００１１】
前記地上デジタル自主放送方式は、伝送路としてＣＡＴＶシステムの伝送路を使用する場合であるが、本発明の地上デジタル自主放送方式では伝送路にＩＰ網を使用することもでき、その場合は、送信側において自主放送信号をデジタル化し、それを多重化してＴＳにし、そのＴＳをインターネットプロトコール方式の信号（ＩＰ信号）に変換（ＴＳ／ＩＰ）して一つのチャンネル信号を生成し、同様にして他のチャンネルのＩＰ信号を生成し、二以上のＩＰ信号を切替え選択してＩＰ網に送り出し、それらＩＰ信号を受信側のインターネット用セットトップボックス（ＩＰ−ＳＴＢ）で受信し、ＩＰ−ＳＴＢにおいて、受信した多数のＩＰ信号から所望チャンネルのＩＰ信号を選択してＩＰ／ＴＳ変換し、変換したＴＳをＯＦＤＭ変調して地上デジタル放送対応のＴＶ受像機に入力し、ＴＶ受像機において前記ＯＦＤＭ信号を復調して自主放送をＴＶ受像機のディスプレーに表示し、前記チャンネルを選択切替えすることにより所望チャンネルの自主放送をＴＶ受像機のディスプレーに切替え表示可能とすることができる。
【００１２】
本発明の地上デジタル自主放送装置は、送信側と、受信側と、両者間を結ぶ伝送路を備え、受信側は前記伝送路に接続されるＳＴＢと、ＳＴＢに接続された地上デジタル放送対応のＴＶ受像機を備え、送信側にはデジタル化された自主放送信号を圧縮するＭＰＥＧエンコーダと、その圧縮デジタル信号を、データ放送や視聴制御のための契約情報等と多重化してＴＳにする多重器と、ＴＳにスクランブルをかけるスクランブラと、スクランブル信号でキャリア変調するＯＦＤＭ方式以外の変調器とを備えた送信機器を一セットして、二セット以上の送信機器が備えられ、送信側には、夫々のセットの送信機器により生成される二以上のチャンネル信号を混合する混合器をも備え、前記ＳＴＢは伝送路から受信した混合信号から所望チャンネルの自主放送信号を復調する復調部と、復調信号とデータ放送信号等を多重化してＴＳに復元する多重器と、そのＴＳでＯＦＤＭ変調するＯＦＤＭ変調器と、変調後のＯＦＤＭ信号をＳＴＢへの前記入力信号と混合する混合器を備えた装置とすることができる。
【００１３】
前記地上デジタル自主放送装置では、送信側に、夫々のセットの送信機器とは別に、データ放送や視聴制御のための契約情報（ＥＭＭ）等を多重化して専用のトランスポートストリーム（専用ＴＳ）を生成する多重器と、専用ＴＳをＯＦＤＭ方式以外の方式で変調する変調器をも備え、前記混合器は専用ＴＳの変調信号と、前記二以上のチャンネルのＴＳ変調信号とを混合可能であり、受信側のＳＴＢには、受信した混合信号から所望チャンネルの自主放送信号を選択して復調するＴＳ復調部と、その混合信号の専用ＴＳからデータ放送やＥＭＭ信号等を復調する専用ＴＳ復調部と、ＴＳ復調部で復調された自主放送と、専用ＴＳ復調部で復調されたデータ放送信号等を多重化する多重器と、その多重信号で変調するＯＦＤＭ変調器と、ＯＦＤＭ変調信号を前記ＳＴＢへの入力信号と混合する混合器を備えた装置とすることができる。
【発明の効果】
【００１４】
本発明は次のような効果がある。
１．送信側でＯＦＤＭ変調せず、受信側のＳＴＢでＯＦＤＭ変調してからＯＦＤＭ復調するので、ケーブル事業者に与えられている一つのネットワークＩＤ（一種類のＯＦＤＭ周波数）で多数チャンネルの地上デジタル自主放送ならびにケーブル専門チャンネルのサービスが可能となる。また、ケーブル専門ＴＶチャンネルを別ネットワークで送る必要もない。
２．送信側において、夫々のチャンネルごとにスクランブルをかけ、ＥＭＭによりＳＴＢに契約情報を伝送するので、チャンネルごとの視聴制御が可能である。
３．ＴＶ受像機でのネットワーク切替えが不要となり、使い勝手がよい。
４．加入者はＴＶのリモコン操作で通常チャンネルと自主放送のチャンネル選択制御ができるため利便性が向上する。
５．地上デジタル放送対応のＴＶ受像機の機能で受像するため、ＯＦＤＭ−ＮＩＭやＭＰＥＧデコーダ等のＴＶ受像機内の機器の無駄がない。
６．ＩＰ放送も同様に、ＭＰＥＧデコーダの無駄削除、リモコン１個で操作が可能である。
７．チャンネル選択は地上デジタル放送のデータ放送の双方向機能で実現することができるため、チャンネル選択のための信号を別途伝送する必要がない。
【発明を実施するための最良の形態】
【００１５】
本発明のＣＡＴＶシステムによる地上デジタル（ＯＦＤＭ）自主放送方法とその装置の一例を図１に示す。図１は送信側からの信号送信をＣＡＴＶ、共聴施設などの同軸ケーブル（伝送路）を使用して行う場合である。図１では伝送路に送り出す信号をＱＡＭ（Quadrature Amplitude Modulation：直交振幅変調）する場合であるが、本願発明はＱＡＭ変調方式に限定されるものではなく、ＱＰＳＫ、１６ＱＡＭ、６４ＱＡＭといった他の変調方式とすることもできる。
【００１６】
ＣＡＴＶシステムの自主放送ＲＦ信号（映像ソース、音声ソース）を送信側から受信側に伝送する方法は各種あるが、複数のチャンネルＱＡＭ信号を伝送することが可能なデジタルＣＡＴＶの仕組みを利用する方法が適している。図１の装置はその一例であり、送信側、受信側は夫々次の特徴を備えている。
【００１７】
（実施形態１：図１の送信側の構成及び動作）
図１の送信側のヘッドエンド１には、ＭＰＥＧ２エンコーダ２、多重器３、Ｂ−ＣＡＳスクランブラ４、ＱＡＭ変調器５、混合器６が装備されている。
【００１８】
図１のヘッドエンド１では、一つのチャンネルの自主放送ＲＦ信号（映像ソース・音声ソース）を図１のＭＰＥＧ２エンコーダ２でエンコード（画像圧縮）し、その圧縮信号と、自主放送のチャンネル選択を行うためのデータ放送信号（データカルーセル信号）、視聴制御のための各受信者の個別契約情報（ＥＭＭ）等を多重器３で多重化してＴＳにし、それにＢ−ＣＡＳスクランブラ４でスクランブルをかけると共に受信機に共通の番組属性情報（スクランブルキー：ＥＣＭ）等を挿入し、スクランブルされた多重信号をＱＡＭ変調器５でＱＡＭ変調して一つのチャンネルのＱＡＭ信号（ＣＡＴＶ信号）を生成し、他のチャンネルの自主放送ＲＦ信号についてもこれと同様にエンコード、多重化、スクランブル、ＱＡＭ変調して他のチャンネルのＣＡＴＶ信号を生成し、それら二以上のチャンネルのＣＡＴＶ信号を混合器６で混合してＣＡＴＶ自主放送信号としてＣＡＴＶ伝送路に送り出す。前記データカルーセル信号、ＥＭＭは常に多重化する。
【００１９】
（図１の受信側の構成及び動作）
図１の受信側（加入者宅）の地上デジタル対応ＴＶ受像機（以下「ＴＶ受像機」と記す）の前にはセットトップボックス（以下「ＳＴＢ」と記す）が接続されている。ＳＴＢは分岐器１１、ＱＡＭ受信部（ＱＡＭ−ＮＩＭ）１２、多重器１３、ＯＦＤＭ変調器１４、混合器１５、ＣＰＵ１６、イーサー端子１７を備えている。ＴＶ受像機（ＴＶ）はＤ端子、Ｕ／Ｖ端子、ＢＳ／１１０ＣＳ端子、ＯＦＤＭ受信部（ＯＦＤＭ−ＮＩＭ）１８、ＢＳ／ＣＳ受信部（ＢＳ／ＣＳ−ＮＩＭ）１９、スイッチ２０、ＭＰＥＧデコーダ２１、スイッチ２２、ディスプレー２３、イーサー端子２４を備えている。このイーサー端子２４はＳＴＢのイーサー端子１７とＨＵＢ（集線装置）２５で接続されている。
【００２０】
図１のＳＴＢに入力したＣＡＴＶ自主放送信号中の自主放送ＲＦ信号はスルーで混合器１５に入力し、ＣＡＴＶ自主放送信号の一部は分岐器１１で分岐されてＱＡＭ−ＮＩＭ１２に入力されて復調される。図１のＴＶ受像機のディスプレー２３に表示されるデータ放送画面からリモコンキー操作で自主放送番組が選択されると、データ放送の双方向機能によりＴＶ受像機のイーサー端子２４からＳＴＢのイーサー端子１７に選択チャンネル情報が伝達され、イーサー端子１７を通して受け取った選択チャンネル情報に基づいてＳＴＢ内のＣＰＵ１６はＱＡＭ−ＮＩＭ１２の周波数制御を行って、選択されたチャンネルの周波数に該当するチャンネルの映像信号及び音声信号（ＲＦ信号）、ＥＣＭストリームを抜き取る。抜き取られたチャンネルのＲＦ信号はデータ放送のデータカルーセル信号とＳＴＢの多重器１３で多重化され、ＯＦＤＭ変調器でＯＦＤＭ変調され、混合器で前記スルー信号と混合されてＴＶ受像機のＵ／Ｖ入力端子に入力される。ＴＶ受像機で受信されたＲＦ信号はＴＶのＯＦＤＭ−ＮＩＭ１８で復調され、ＭＰＥＧデコーダ２１でデコードされて、ディスプレー２３に表示される。
【００２１】
前記チャンネル選択は次のようにして行われる。自主放送チャンネルはＴＶのリモコンキーに割り当てられており、そのチャンネルを選択することにより自主放送を受像可能となるが、複数の自主放送番組の選択は、リモコン操作後に自動的にＴＶのディスプレー２３に表示されるデータ放送の選択画面で選択する。
【００２２】
ＳＴＢは視聴制御情報を伝送するＥＭＭを受信し、チャンネル毎の視聴の可否情報を取得して、視聴可の場合のみストリームを多重する。視聴不可の場合は予め伝送されている視聴不可を表示する映像ストリームに切替えるなどしてＴＶ受像機のディスプレー２３に視聴不可であることを表示できるようにする。
【００２３】
（実施形態２：図２の送信側の構成及び動作）
図２は本発明の地上デジタル自主放送方式の第２の実施形態である。この方式は自主放送ＲＦ信号（映像ソース・音声ソース）の多重化と、データ放送信号（データカルーセル信号）、視聴制御のための各受信者の個別契約情報（ＥＭＭ）等の多重化を別々に行い、後者の多重化で専用ＴＳを生成するようにした方式である。より具体的には、送信側のヘッドエンドで一つのチャンネルの自主放送ＲＦ信号（映像ソース・音声ソース）をＭＰＥＧ２エンコーダ２でエンコード（画像圧縮）し、それを多重器で多重してＴＳにし、それにＢ−ＣＡＳスクランブラ４でスクランブルをかけると共に受信機に共通の番組属性情報（スクランブルキー：ＥＣＭ）等を挿入し、スクランブルされた多重信号をＱＡＭ変調器５でＱＡＭ変調して一つのチャンネルのＱＡＭ信号（ＣＡＴＶ信号）を生成し、他のチャンネルの自主放送ＲＦ信号についてもこれと同様にエンコード、多重化、スクランブル、ＱＡＭ変調して他のチャンネルのＣＡＴＶ信号を生成して、二以上のチャンネルのＣＡＴＶ信号を生成する。これとは別に、自主放送のチャンネル選択を行うためのデータ放送信号（データカルーセル信号）、視聴制御のための各受信者の個別契約情報（ＥＭＭ）等を多重器７で多重化して専用ＴＳにし、それをＱＡＭ変調器８でＱＡＭ変調して専用ＱＡＭを生成し、その専用ＱＡＭと前記二以上のチャンネルのＣＡＴＶ信号を混合器６で混合してＣＡＴＶ自主放送信号としてＣＡＴＶ伝送路に送り出す。
【００２４】
（図２の受信側の構成及び動作）
図２の受信側（加入者宅）のＴＶ受像機の前にもＳＴＢが接続されている。ＳＴＢは分岐器１１、ＱＡＭ受信部１２、多重器１３、ＯＦＤＭ変調器１４、混合器１５、ＣＰＵ１６、イーサー端子１７を備えることにおいて図１のＳＴＢと共通し、異なるのは、専用ＱＡＭ復調部２６を備えていることである。ＴＶ受像機（ＴＶ）は図１のそれと同じ構成の地上デジタル放送対応型である。
【００２５】
図２のＳＴＢでは、受信したＣＡＴＶ自主放送信号中の自主放送ＲＦ信号はスルーで混合器１５に入力される。他方、受信したＣＡＴＶ自主放送信号の一部を分岐器１１で分岐されてＱＡＭ−ＮＩＭ１２で復調され、図１のＴＶ受像機のディスプレー２３に表示されるデータ放送画面からリモコンキー操作で自主放送番組が選択されると、データ放送の双方向機能によりＴＶ受像機のイーサー端子２４からＳＴＢのイーサー端子１７に選択チャンネル情報が伝達され、イーサー端子１７を通して受け取った選択チャンネル情報に基づいてＳＴＢ内のＣＰＵ１６はＱＡＭ−ＮＩＭ１２の周波数制御が行われて、選択されたチャンネルの周波数に該当するチャンネルの映像信号及び音声信号（ＲＦ信号）、ＥＣＭストリームが復調されて抜き取られる。これとは別に、前記分岐信号中のデータ放送信号、視聴制御信号が専用ＱＡＭ復調部２６で復調されて抜き取られる。この専用ＱＡＭ復調部２６で抜き取られた前記信号と、前記ＱＡＭ−ＮＩＭ１２で抜き取られた信号等が多重器１３で多重化されてからＯＦＤＭ変調器１４でＯＦＤＭ変調される。このＯＦＤＭ変調信号が混合器１５において前記スルー信号と混合されてＴＶ受像機のＵ／Ｖ入力端子に入力される。ＴＶ受像機で受信されたＲＦ信号はＴＶのＯＦＤＭ−ＮＩＭ１８で復調され、ＭＰＥＧデコーダ２１でデコードされて、ディスプレー２３に表示される。前記チャンネル選択、視聴可否の判断は図１の場合と同様にして行われる。
【００２６】
（実施形態３：ＩＰ伝送網を利用した伝送）
図３は本件発明の伝送路としてＩＰ伝送網を使用する場合である。図３では送信側において、自主放送ＴＳ信号を多重器３で多重化し、そのＴＳをＴＳ／ＩＰ変換器２７でインターネットプロトコール方式の信号（ＩＰ信号）に変換（ＴＳ／ＩＰ）して一つのチャンネルのＩＰ信号を生成し、これと同様にして他のチャンネルのＩＰ信号を生成する。これとは別に、データ放送信号（データカルーセル）、視聴制御信号を多重器７で多重化して専用ＴＳを生成し、それをＴＳ／ＩＰ変換器２８でＩＰ信号に変換する。このＩＰ信号と前記チャンネル別のＩＰ信号を、スイッチ（ＨＵＢ）２９で切替え、ルータ３０を介してＩＰ網（ネットワーク）に送り出す。
【００２７】
図３の受信側では、ＩＰ網で伝送されてくるＩＰ信号をルータ３１を介してスイッチ（ＨＵＢ）３２で信側し、インターネット用セットトップボックス（ＩＰ−ＳＴＢ）４０で受信する。ＩＰ−ＳＴＢはＩＰ／ＴＳ変換器４１、多重器４２、ＯＦＤＭ変調器４３、ＣＰＵ４４を備えている。
【００２８】
前記ＩＰ／ＴＳでは受信したＩＰ信号から所望チャンネルのＩＰ信号を選択し、そのチャンネルの自主放送信号をＩＰ／ＴＳ変換してＴＳにする。このとき、ＩＰ−ＳＴＢからＣＰＵ４４によりデータ放送信号や視聴制御信号を取り出し、データ放送信号を前記ＩＰ／ＴＳ変換後のＴＳ信号と多重化してからＯＦＤＭ変調して混合器４５に送出する。混合器４５ではＵ／Ｖアンテナ４６で受信した信号と混合し、ＴＶ受像機のＵ／Ｖに入力する。受信信号はＴＶ受像機のＯＦＤＭ−ＮＩＭでＯＦＤＭ複調され、ＭＰＥＧでコードされてＴＶ受像機のディスプレーに表示されるようにしてある。
【産業上の利用可能性】
【００２９】
地方自治体、他の団体等の多くの自主放送番組を、関係者に広く送受信可能となる。
【図面の簡単な説明】
【００３０】
【図１】ＣＡＴＶ伝送網を利用した本発明の自主放送システムの一例を示す説明図。
【図２】ＣＡＴＶ伝送網を利用した本発明の自主放送システムの他例を示す説明図。
【図３】ＩＰネットワークを利用した本発明の自主放送システムの一例を示す説明図。
【図４】ＣＡＴＶ伝送網を利用した従来の自主放送システムの説明図。
【図５】ＩＰネットワークを利用した従来の自主放送システムの一例を示す説明図。
【符号の説明】
【００３１】
１  ヘッドエンド
２  ＭＰＥＧ２エンコーダ
３  多重器
４  Ｂ−ＣＡＳスクランブラ
５  ＱＡＭ変調器
６  混合器
７  多重器
８  ＱＡＭ変調器
１１  分岐器
１２  ＱＡＭ受信部（ＱＡＭ−ＮＩＭ）
１３  多重器
１４  ＯＦＤＭ変調器
１５  混合器
１６  ＣＰＵ
１７  イーサー端子
１８  ＯＦＤＭ受信部（ＯＦＤＭ−ＮＩＭ）
１９  ＢＳ／ＣＳ受信部（ＢＳ／ＣＳ−ＮＩＭ）
２０  スイッチ
２１  ＭＰＥＧデコーダ
２２  スイッチ
２３  ディスプレー
２４  イーサー端子
２５  ＨＵＢ（集線装置）
２６  ＱＡＭ復調器
２７、２８  ＴＳ／ＩＰ変換器
２９  スイッチ（ＨＵＢ）
３０、３１  ルータ
３２  スイッチ（ＨＵＢ）
４０  インターネット用セットトップボックス（ＩＰ−ＳＴＢ）
４１  ＩＰ／ＴＳ変換器
４２  多重器
４３  ＯＦＤＭ変調器
４４  ＣＰＵ
４５  混合器
４６  Ｕ／Ｖアンテナ
【図１】
2009171381.tif 000003
【図２】
2009171381.tif 000004
【図３】
2009171381.tif 000005
【図４】
2009171381.tif 000006
【図５】
2009171381.tif 000007